(57)【要約】【課題】特願２０１１−１３４５８５「睡眠時無呼吸症防止用枕」は、根強い習慣となった仰臥位の睡眠をも防止し、睡眠時の無呼吸、イビキを防ぐために有効であった。これを一歩進めて、次の段階では、その効果を引き継ぎ、安定して仰臥位の再発を防ぎながら、側臥位でのより快適な睡眠を永続的に可能にする形状の枕が求められる。【解決手段】寝具の横幅ほどの幅の長い枕の中央部に、就寝者の天地方向一杯に幅の狭い凸部を設け、凸部の基部の左右に凸部に並行して凹部を設け、その外側に中央の凸部と同程度の高さの平坦部を設けた睡眠時無呼吸症の再発防止用枕。【選択図】図１
2014018635.tif 000002
【特許請求の範囲】
【請求項１】
寝具の横幅ほどの幅の長い枕の中央部に、就寝者の天地方向一杯に幅の狭い凸部を設け、凸部の基部の左右に凸部に並行して凹部を設け、その外側に中央の凸部と同程度の高さの平坦部を設けた睡眠時無呼吸症の再発防止用枕。
【発明の詳細な説明】
【技術分野】
【０００１】  本発明は、出願人が特願２０１１−１３４５８５「睡眠時無呼吸症防止用枕」によって、仰臥位の睡眠習慣が是正された者に対して、安定した側臥位を習慣付け、仰臥位の睡眠の再発を防止するための枕に関するものである。
【背景技術】
【０００２】  特願２０１１−１３４５８５「睡眠時無呼吸症防止用枕」は、形状の工夫により睡眠時の仰臥位を防止する発明である。
【先行技術文献】
【特許文献】
【０００３】
【特許文献１】特許公開２０００−２３８１３（図１、図１１）
【発明の概要】
【発明が解決しようとする課題】
【０００４】（イ）出願人による特願２０１１−１３４５８５は、無意識の睡眠時に、自らの頭部の重      さにより、頭部を繰り返し横向きに回転させることを可能とした。これにより、根      強い習慣となった仰臥位の睡眠をも防止し、睡眠時の無呼吸、イビキを防ぐために      大変有効であった。
（ロ）これを一歩進めて、次の段階では特願２０１１−１３４５８５の使用により仰臥位      の習慣を矯正できた者に対して、その効果を引き継ぎ、安定して仰臥位の再発を防      ぎながら、側臥位でのより快適な睡眠を永続的に可能にする形状の枕が求められる      。
（ハ）本発明は以上の問題点を解決するためになされたものである。
（ニ）なお、一見形状の類似する先行技術である特許文献１は、その図１に示されている      ように、「頭部振り分け部２が頭を左または右に自然に傾け、側頭部が頭部載置部      ３ａまたは３ｂに載置されるようになる」と説明しているが、これは仰臥睡眠者の      実態に関する理解が出願者と異なる。健康に支障をきたすほどにイビキをかいたり      睡眠時無呼吸に至るような仰臥位睡眠者は、一晩に何度となく窒息するほどの苦し      さを伴っても、永年の陋習により、その仰臥位睡眠をやめることができない。付添      者が、その都度姿勢改めたとしても、または枕に多少の工夫をしても、無意識に仰      臥位の睡眠姿勢を模索し、何としても仰臥位を実現する。これが解決するべき問題      点である。特許文献１の図１の形状では、凸部２からわずかに頭部を左右にずらす      だけで、後頭部が凹部３ａまたは３ｂに嵌まり込み容易に仰臥位を固定することに      なり、記述する効果を得ることは不可能である。この状態は、同文書の図１１が、      「いびきの原因を説明するための説明図である」としている、まさにその状態を凹      部３ａまたは３ｂが固定することになってしまい不適切である。また、凸部６ａま      たは６ｂについても、仰臥位を求める睡眠者がわずかに足元方向に頭部をずらせば      、容易にここに安定した仰臥位を得られることから、本来設置してはならない部分      である。出願者による特願２０１１−１３４５８５では、これを防ぐために中央凸      部から左右に十分な距離を斜面として、睡眠者が仰臥位を得ることを防ぎ、頭部の      自重と重力により何度でも側臥位に誘導する構造である。また、本発明では、この      矯正ができた者にとっての次の段階として、中央の左右に仰臥位を固定しやすい凹      部ではなく、側臥位に適した平坦部を設けている。本発明の中央凸部に並行する凹      部は頭部をはめ込む広い幅ではなく、凸部の左右への振り分けを可能とする幅の狭      いものである。
【課題を解決するための手段】
【０００５】  寝具の横幅ほどの幅の長い枕の中央部に、就寝者の天地方向一杯に幅の狭い凸部を設け、凸部の基部から左右に凸部に並行して凹部を設け、その外側に中央の凸部と同程度の高さの平坦部を設けた睡眠時無呼吸症の再発防止用枕。
【発明の効果】
【０００６】  本発明を特願２０１１−１３４５８５「睡眠時無呼吸症防止用枕」により仰臥位睡眠が矯正された者が使用することで、再発の防止を図ることができる。矯正後に、より快適な睡眠を求めて無意識に「睡眠時無呼吸症防止用枕」を外すことにより、また通常の枕の使用に戻ることによる仰臥位の再発を防止することができる。睡眠時無呼吸症は、高血圧や心臓疾患など多くの成人病の原因であり、本発明は睡眠時無呼吸症のもたらす、これら深刻な健康被害を予防することができる。
【図面の簡単な説明】
【０００７】
【図１】本発明の斜視図
【図２】本発明使用時の頭部の移動と気道の開閉を示す状態図
【符号の説明】
【０００８】１  凸部、２  凹部、３  平坦部、４  頭頂部、５  気道、６  軟口蓋、７  舌根
【発明を実施するための形態】
【０００９】以下本発明の実施の形態を説明する。
（イ）寝具の横幅ほどの幅の長い枕の中央部に、就寝者の天地方向一杯に幅の狭い凸部（      １）を設ける。凸部（１）の幅は、仰臥位での就寝を可能にするものの、睡眠時の      脱力で頭部が容易に左右に外れる程度である。
（ロ）凸部の基部から左右に凸部に並行して凹部（２）を設け、凸部（１）を外れた頭部      が左右に傾き軽く安定する幅とする。この幅は頭部が落ち込んだり、凸部（１）方      向、平坦部（３）方向への寝返り、を妨げない程度である。
（ハ）その外側に平坦部（３）を設ける。平坦部（３）の幅は側臥時の頭側部が安定し、      側臥位での睡眠に適した幅と高さとする。
本発明は以上のような構造である。
【００１０】（イ）本発明の使用対象者は、特願２０１１−１３４５８５「睡眠時無呼吸症防止用枕」      の使用により仰臥位睡眠の習慣が矯正された者である。本発明を使用するときは、      使用者は図２のＡのように一旦仰臥位で凸部に頭を置き、さらに仰臥位を避け左右      に頭部を傾けてＢまたはＢ´の状態で就寝する。この状態では気道はｂまたはｂ′      のように、舌恨の落ち込みが緩和され、体幹を仰臥したまま残して首をひねる形と      なることから、軟口蓋がやや引き上げられる。このように頭部がわずか１０度ほど      左右に振れるだけで気道の閉塞は解消する。
（ロ）就寝者が、さらに頭部と体幹を回転させてＣまたはＣ´のように顔が真横を向いた      状態で頭部を快適な側臥位に十分な高さを持つ平坦部に置いて就寝してもよい。こ      の状態では、気道はｃまたはｃ´のように十分解放されている。
（ハ）特願２０１１−１３４５８５「睡眠時無呼吸症防止用枕」の使用により、睡眠時の      頭部や体幹の回転が身に付けば、図２の示す流れのように、睡眠時間を通じて繰り      返される寝返りや、習慣として無意識に取る仰臥位に対しても、必ずこの動きが繰      り返されて仰臥位を許さず、頭部を傾けた状態であるＢまたはＢ´の状態、または      安定したＣまたはＣ´の側臥位に帰着する。これにより、就寝時から起床時まで、      継続して仰臥位を防止し、無呼吸とその悪影響を防ぐことができる。
（ニ）万一、平坦部に仰臥位を取るような傾向が現れた場合には、再度特願２０１１−１      ３４５８５「睡眠時無呼吸症防止用枕」を使用して頭部および体幹の回転を身に付      け、そののちに本発明の使用を再開する。
【図１】
2014018635.tif 000003
【図２】
2014018635.tif 000004